(57)【特許請求の範囲】
【請求項１】
竿体のリールシート取付位置を挟んで竿先側に位置する竿先側部分と竿尻側に位置する竿尻側部分との内部空間の夫々に、前記竿体の軸線方向に沿って移動自在なバランスウエイトを設けている釣り竿。
【請求項２】
前記竿先側部分と前記竿尻側部分との外周面に、前記バランスウエイト収納空間に通じる開口を形成してある請求項１記載の釣り竿。
【請求項３】
前記バランスウエイトに、前記開口を通して移動操作可能な摘まみ部を形成してある請求項２記載の釣り竿。
【請求項４】
前記竿先側部分に位置する前バランスウエイトと、前記竿尻側部分に位置する後バランスウエイトとを、連結ロッドを介して一体で竿体の内部空間を移動可能に構成してある請求項１〜３のうちのいずれか一つに記載の釣り竿。
【請求項５】
前記連結ロッドの前後バランスウエイトの一方に対する取付部分に雄ネジが形成されており、この雄ネジに対して前記一方のバランスウエイトを螺着し、前記連結ロッドと前記一方のバランスウエイトとを相対回転させることによって、前記前バランスウエイトを後バランスウエイトに対して相対移動可能に構成してある請求項４記載の釣り竿。
【発明の詳細な説明】
【技術分野】
【０００１】
本発明は、バランスウエイトを備える釣り竿に関する。
【背景技術】
【０００２】
バランスウエイトを設ける理由は、リールシート部分を握って釣り操作を行う場合に、リールシートを取り付けた位置から竿尻端までとリールシートから穂先竿の先端までとの重量バランスが確保されていないと、リールシート部分を握って仕掛けを投入する場合や釣上げ操作を行う場合に、違和感を感ずることがあり、それらの操作が旨く行えない虞があった。
そこで、バランスウエイトを元竿の竿尻端の内部空間内に収納する構成を採っていた（特許文献１参照）。
【０００３】
【特許文献１】特開２０００−２６９０８４号公報（段落番号〔０００３〕、〔０００６〕、及び、図２、３，５）
【発明の開示】
【発明が解決しようとする課題】
【０００４】
リールシートより竿尻側にバランスウエイトを設けているだけであるので、竿尻側だけでバランスウエイト量を調節することとなり、ジグやエギ等の仕掛けを変更する場合に、竿尻側に位置するバランスウエイト量を調節するだけでは対応できず、改善の余地があった。また、バランスウエイト量を調節することによって、仕掛けを変更した場合に対応することとしているので、バランスウエイト量を増すための予備品を装備する必要があり、その面でも煩雑さを感じさせるものであった。
一方、リール付き釣り竿では、リールシート取付位置を握って、釣り竿を保持し、仕掛けを流して魚の当りを待つ間に、釣り竿のバランスを調節することができれば、便利である。
【０００５】
本発明の目的は、バランス調節範囲を大きくすることができ、釣り操作に邪魔になり難いバランスウエイトを備えた釣り竿を提供する点にある。
【課題を解決するための手段】
【０００６】
〔構成〕
請求項１に係る発明の特徴構成は、リールシート取付位置を挟んで竿先側に位置する竿先側部分と竿尻側に位置する竿尻側部分との内部空間の夫々に、前記竿体の軸線方向に沿って移動自在なバランスウエイトを設けている点にあり、その作用効果は次の通りである。
【０００７】
〔作用〕
バランスウエイトを軸線方向に移動させるだけでバランス調節が行えるので、調節の為の予備のバランスウエイトを装備する必要性が少なく、必要最小限のものに限定できる。
さらには、釣り操作を行う場合に、釣り竿を支える支点となるリールシート位置の竿先側と竿尻側とにバランスウエイトを配置してあるので、竿尻側だけにバランスウエイトを配置する場合に比べて調節範囲を広くすることができる。
しかも、バランスウエイトを元竿の内部空間内に位置させているので、元竿の外周面に設ける場合に比べて釣り操作を行う釣り人の手が接触することは少なく、釣り操作を行い易い。
【０００８】
〔効果〕
したがって、仕掛けを変更してバランス調節を行う場合にも迅速にバランス調節が行えるとともに、予備バランスウエイトを装備する必要がなく、釣り操作も円滑に行える釣り竿を提供できるに至った。
【０００９】
請求項２に係る発明の特徴構成は、請求項１に係る発明において、前記竿先側部分と前記竿尻側部分との外周面に、前記バランスウエイト収納空間に通じる開口を形成してある点にあり、その作用効果は次の通りである。
【００１０】
〔作用効果〕
つまり、バランスウエイトが竿体の内部空間に位置していても、釣り人は開口を通してバランスウエイトの存在を確認でき、バランスウエイトの調節は容易である。
【００１１】
請求項３に係る発明の特徴構成は、請求項２に係る発明において、前記バランスウエイトに、前記開口を通して移動操作可能な摘まみ部を形成してある点にあり、その作用効果は次の通りである。
【００１２】
〔作用効果〕
つまり、バランスウエイトが元竿の内部空間に位置していても、竿の外部から摘まみ部を掴んだ状態でバランスウエイトを移動調節操作が可能となり、調節操作が容易である。
【００１３】
請求項４に係る発明の特徴構成は、請求項１〜３のうちのいずれか一つに記載の発明において、前記竿先側部分に位置する前バランスウエイトと、前記竿尻側部分に位置する後バランスウエイトとを、連結ロッドを介して一体で竿体の内部空間を移動可能に構成してある点にあり、その作用効果は次の通りである。
【００１４】
〔作用効果〕
つまり、前後バランスウエイトは連結ロッドで繋がっているので、一方のバランスウエイトを移動調節するだけで、他方のバランスウエイトを調節移動させることができ、調節操作が容易である。
【００１５】
請求項５に係る発明の特徴構成は、前記連結ロッドの前後バランスウエイトの一方に対する取付部分に雄ネジが形成されており、この雄ネジに対して前記一方のバランスウエイトを螺着し、前記連結ロッドと前記一方のバランスウエイトを相対回転させることによって、前記前バランスウエイトを後バランスウエイトに対して相対移動可能に構成してある点にあり、その作用効果は次の通りである。
【００１６】
〔作用効果〕
前後一方のバランスウエイトが連結ロッドに対して螺合してあるので、そのバランスウエイトを連結ロッドに対して螺進移動させることによって、前後バランスウエイトの間隔を調節することも可能になる。
これによって、個々のバランスウエイトを最適位置に位置させることができる。
【発明を実施するための最良の形態】
【００１７】
〔第１実施形態〕
ジグロッド等の元竿１の構成について説明する。図１に示すように、元竿１は、中間位置にリールシート３を装着するとともに竿尻端に後グリップ４を備えて構成されている。リールシート３は、竿体２に被嵌する筒状のシートベース３Ａに固定フード３Ｂを一体形成するとともに、固定フード３Ｂの竿尻端側に可動フード３Ｃを備えて、リールを取り付け固定すべく構成されている。可動フード３Ｃの竿尻側には、相対回転かつ一体移動可能なナット部３Ｄを連結して設けてあり、シートベース３Ａの竿尻端部分にナット部３Ｄを螺進移動させる大径ネジ部３Ｅを形成してある。
【００１８】
次に、バランスウエイト５の装着構造について説明する。図１に示すように、リールシート３を挟んで竿先側部分と竿尻側部分との外周面に竿先側開口２ａと竿尻側開口２ｂとを形成する。竿先側開口２ａと竿尻側開口２ｂとは竿体２の軸線方向に沿った長孔に形成してある。
【００１９】
バランスウエイト５は、図１（イ）（ロ）に示すように、竿体２の内周面径に相当する外径を有する円柱体に形成されており、円柱体の外周面に摘まみ部６の取付用ネジ部５Ａが形成されている。この取付用ネジ部５Ａと９０°位相を違える位置には、図示していないが、位置決め用のスプリングボール機構が収納される。
このスプリングボール機構によって、バランスウエイト５の位置決めが行える。
【００２０】
バランスウエイト５を竿体２内に載置するには、後グリップ４を取り外し、尻端開口からリールシート３側に押し込んでいく。この場合には、摘まみ部６を取り付けないで行う。摘まみ部６は、竿体２内に押し込んだ後、バランスウエイト５が竿先側開口２ａと竿尻側開口２ｂとの形成部位にいたった後に、開口の外側より螺着する。
【００２１】
摘まみ部６は、開口２ａ、２ｂより外周面に突出しないか又は僅かに突出する状態に高さが設定されている。したがって、摘まみ部６に手指を当てつけるか、コイン等を当てつけて移動調節操作を行うことができるとともに、開口２ａ、２ｂより突出しない状態または突出しても僅かなものに高さが設定されているので、開口２ａ、２ｂ部分を握り操作する場合にも邪魔に成り難く、違和感を感ずることが少ない。
【００２２】
バランスウエイト５としては、スティール、鉛、タングステン等の単一物または合金等によって形成する。
前記したように、竿尻側部分と竿先側部分とに押し込んだバランスウエイト５，５に対して前記した竿先側開口２ａと竿尻側開口２ｂより摘まみ部６，６を夫々螺着し、この摘まみ部６，６を利用してバランスウエイト５，５を調節移動させることが可能である。
【００２３】
以上のような構成によって、リールシート３を挟んでバランスウエイト５、５を配置し、そのバランスウエイト５、５を個々に調節移動が可能であるので、仕掛けの変更にも幅広く対応できるバランス調節構造を確立できた。
【００２４】
以上のような構成において、次ぎのような構成を採ってもよい。
＜１＞  摘まみ部６は特に設ける必要はない。バランスウエイト５にコインやドライバー等の治具を差し込む凹部を設けるだけでよい。つまり、コインやドライバーを凹部に差し込んで、バランスウエイト５を移動調節することができる。
＜２＞  竿先側開口２ａと竿尻側開口２ｂに対して蓋体を設けてもよい。これによって、蓋体によって開口２ａ、２ｂを閉塞すれば、通常の竿体２と同様の開口２ａ、２ｂのない外周面となり、その部分に手を添えた場合の違和感が少ない。
＜３＞  バランスウエイト５を調節位置で位置保持しながら、その保持力以上の操作力を受けた場合には、移動することができる機構として、スプリングボール機構を設けたが、バランスウエイト５の外周面に竿体２の内周面に圧接する板バネを取付ける。これによって、竿体２の内周面との間に摩擦保持力を作用させて、バランスウエイト５の位置保持力を与えることができる。
このように、板バネをスプリングボール機構の代わりに設けた場合には、竿体２の内周面に形成した係合溝は必要ではなく、竿体２の内周面は凹凸のない円弧面に維持するだけでよい。
【００２５】
〔第２実施形態〕
ここでは、竿先側部分に位置するバランスウエイト５と竿尻側部分に位置するバランスウエイト５とを一体で調節移動できるものについて説明する。図２（イ）（ロ）に示すように、竿尻側のバランスウエイト５から竿先側に向けて連結ロッド８を延出するとともに連結ロッド８の先端部にネジ部８Ａを形成し、そのネジ部８Ａに竿先側のバランスウエイト５を螺着している。
【００２６】
上記したような構成によって、竿先側のバランスウエイト５と竿尻側のバランスウエイト５とを一定の間隔を維持しながら、竿軸線方向に沿って移動させることができ、バランス位置を調節できる。
バランスウエイト５を移動させる構造としては、図２（イ）（ロ）に示めすように、竿尻側部分の外周面に竿尻側開口２ｂを設け、この開口２ｂを通して摘まみ部６を竿尻側のバランスウエイト５に取付け、この摘まみ部６に手指を宛がって竿尻側のバランスウエイト５を竿先側のバランスウエイト５とともに移動させる構成を採ってもよい。
竿先側のバランスウエイト５をネジ部８Ａに螺合し、そのバランスウエイト５を単独で螺進移動させることによって、竿先側のバランスウエイト５の位置も調節が可能である。
【００２７】
〔第３実施形態〕
ここでは、第２実施形態における竿尻側のバランスウエイト５に対する移動構造について説明する。図３（イ）（ロ）に示すように、元竿１のリールシート３より竿尻側に竿尻側のバランスウエイト５を配置するとともに、このバランスウエイト５の外周面の１８０°対角位置に、バランスウエイト５の軸線方向に沿ったガイド溝５Ｃ、５Ｃを形成する。一方、元竿１の竿尻側部分の内面における１８０°対角位置に、ガイドレール２Ｂ、２Ｂを突設し、このガイドレール２Ｂ、２Ｂにガイド溝５Ｃ、５Ｃを係合させる状態でバランスウエイト５を配置する。これによって、竿尻側のバランスウエイト５は円周方向には回転不能であり、竿の軸線方向へは移動可能に構成される。
【００２８】
竿尻端には尻栓９が装着されるとともに、尻栓９の内側に回転調節体１０が設けてあり、この回転調節体１０から竿尻側のバランスウエイト５に向けて操作ロッド１１が一体回転可能に延出され、操作ロッド１１の先端部にネジ部１１Ａが形成され、竿尻側のバランスウエイト５が螺着してある。回転調節体１０の後面にはコイン等の適当な治具を差し入れてその回転調節体１０を回転駆動する為の割り溝１０Ａを形成してある。
【００２９】
以上のような構造において、バランスウエイト５の位置を調節する必要がある場合には、尻栓９を取外し、回転調節体１０を回転駆動すると、操作ロッド１１も一体回転し、その操作ロッド１１に螺着された竿尻側のバランスウエイト５が竿軸線方向に沿って螺進移動し、調節操作が行われる。竿先側のバランスウエイト５とは図示するように、第２実施形態で示した連結ロッド８を介して竿尻側のバランスウエイト５と連結することによって、竿先側のバランスウエイト５を回転調節体１０で駆動移動させることができる。
竿先側のバランスウエイト５の単独調節については、第２実施形態で詳述したように、竿先側のバランスウエイト５をネジ部８Ａの軸芯回りで回転させて螺進させて、位置調節を行うことができる。
【００３０】
〔別実施形態〕
（１）  リールシート３を基準に竿先側に位置するバランスウエイト５と竿尻側に位置するバランスウエイト５とは、必要とするバランス量に応じて重さを変更することができる。ただし、バランスウエイト５は元竿１の内部空間に装着するものである為に形状としては、できるだけ小さくするのが望ましい。したがって、バランスウエイト５としては、比重の大きな金属が使用し易い。
（２）  バランスウエイト５を設ける対象として元竿１を選定したが、元竿１とともに中竿等の他の竿体に設けてもよい。
【図面の簡単な説明】
【００３１】
【図１】第1実施形態で示すバランスウエイト取付構造を示し、（イ）は側面図、（ロ）は縦断正面図
【図２】第２実施形態で示すバランスウエイト取付構造を示し、（イ）は側面図、（ロ）は要部縦断側面図
【図３】第３実施形態で示すバランスウエイト取付構造を示し、（イ）は側面図、（ロ）は要部縦断正面図
【符号の説明】
【００３２】
２            竿体
２ａ、２ｂ    開口
３            リールシート
５            バランスウエイト
８            連結ロッド
【図１】
0004803718.tif 000002
【図２】
0004803718.tif 000003
【図３】
0004803718.tif 000004